(57)【要約】【課題】      本考案は、釣り針に生餌を取り付ける際の指の汚れ、臭いを最小限にして誰でも衛生的に短時間で簡単に取り付けられる生餌フォルダーを提供するものである。【解決手段】      ２つ折りが可能で、かつ弾性変形する薄板の折り返し部の少なくとも一端面に生餌頭だし切り欠き部を設け、該薄板の内面に一端を固定し、他端をフリー端にすると共に、少なくとも折り返し部を覆う大きさで生餌が滑りにくい表面で柔軟性もある生餌押さえシートを装着し、薄板の折り返し部に生餌を載置し、その上を生餌押さえシートで覆い、該生餌押さえシートのフリー端を生餌押さえストッパーで押さえ込み、薄板を二つ折りに折り返して生餌を動けなく弾力性も付加して挟持することにより、生餌を暴れさせず、かつ指も汚さずに衛生的に短時間で確実に生餌を釣り針につけることができる生餌フォルダーである。【選択図】図１
0003136048.tif 000002
【実用新案登録請求の範囲】
【請求項１】
ほぼ二つ折りが可能で、かつ該折り返し部の少なくとも一端部に生餌の頭出し切り欠き部を有し弾性変形可能な薄板と、一端を上記薄板の相対する内面に固定し、他端をフリー端とし、かつ上記折り返し部を含んで覆うと共に、生餌の動きを阻止するように前記薄板の折り返し変形に対応して押さえ込むと共に、生餌と滑りにくい内面を有する生餌押さえシートとから構成したことを特徴とする生餌フォルダー。
【請求項２】
薄板が透明、半透明な合成樹脂、または可撓性のあるシート材単体、若しくは紙。金属箔等の複合材の１種以上から構成したことを特徴とする請求項１記載の生餌フォルダー
【請求項３】
薄板の内面で、かつ生餌押さえシートの固定端とほぼ反対の位置にフリー端の動きを阻止するスットパーを設けたことを特徴とする請求項１又は２記載の生餌フォルダー。
【考案の詳細な説明】
【技術分野】
【０００１】      本考案は、内側面で生餌を挟み込むための折り返し部、例えばほぼ二つ折りになり、かつ弾性変形も可能な薄板と、折り返し部の内面を覆うと共に、薄板の折り返しに対応して変形でき、しかも滑らずに生餌を押さえ込む柔軟性のある生餌押さえシートを設けた生餌フォルダーに関するものである。
【背景技術】
【０００２】      釣り等において生餌を釣り針につける場合、生餌を直接に指で摘まんで釣り針に取り付けていた。
【考案の開示】
【考案が解決しようとする課題】
【０００３】      しかしながら、生餌を直接に指で摘まんで釣り針につける場合、生餌が暴れたたりして釣り針に生餌を取りつけ難い課題があった。また、指に付いた生餌の汚れや臭いは、衛生上、気分的に好ましくなく、しかもこの種の汚れ、臭いを洗い流すには環境的にも決められた場所での洗剤による手洗いが必要であり、簡単に洗浄できず、臭いも消えにくく、その上、長時間を要するものであった。
そこで、本考案は、生餌を針に取り付ける際に、指を生餌に最小限だけ触れて指で摘み、生餌による指の汚れ、及び臭さを大幅に減少させて衛生的に、かつ確実に短時間で生餌を針に取り付けられる生餌フォルダーを提供するものである。
【課題を解決するための手段】
【０００４】      本考案は、このような欠点を除去するため、例えば二つ折りの折り返し部を形成することが可能で弾性変形もする薄板と、上記折り返し部の少なくとも一端部に生餌頭出し切り欠き部を形成し、また折り返された薄板の内側に一端部を固定し、他端部をフリー端とし、かつ生餌を滑りにくい表面で覆う大きさに形成し、かつ薄板の折り返しに対応して変形する柔軟性がある生餌押さえシートから構成し、薄板を二つ折りにした際できる折り部上に生餌を置き、その上を生餌押さえシートで覆い、次ぎに薄板を二つ折りして生餌を挟持する生餌フォルダーである。
【考案の効果】
【０００５】      上述したように、弾性変形可能な薄板の折り返し部の底面に生餌を最小限つかみ取って生餌頭出し切り欠き部へ頭の部分が突出するように載置し、その上に、柔軟性に富み生餌に対して滑りにくい表面の生餌押さえシートで覆い、薄板を二つ折りに折り返すだけで薄板の弾力も付加され生餌を動かなく確実に保持でき、しかも生餌には指を最小限接触させるだけで良く、指に汚れ、及び臭いが付くことも少なく、指の洗浄に洗剤を使用したりせずとも衛生的であり、かつ生餌を短時間に確実に釣り針へ簡単に取り付けられる生餌フォルダーを提供するものである。
【考案を実施するための最良の形態】
【０００６】      以下に、図面を用いてに本考案に係る生餌フルダーの一実施例を詳細に説明する。図１は、本考案に係る生餌フォルダーの全体を示す正面図であり、１は薄板、４は生餌、５は生餌押さえシート、６は生餌押さえシートストッパーである。さらに説明すると、薄板１は耐久性があり、軽量で、腐食せず、清潔で適度に平滑な表面の素材、例えば合成樹脂製、アクリル樹脂板等の一種からなり、折り返した際の生餌４に対する圧力付加、及び生餌４の状態を可視できる透明性、半透明性がある等の適宜素材を用いる。【０００７】      さらに説明すると、薄板１は例えば、ほぼ中央部に二つ折りする折り返し部２が形成できる厚さ例えば約０，２〜１ｍｍ位で正方形、長方形などの外観の薄板素材からなり、折り返し部２の少なくとも一端部に生餌頭出し切り欠き部３を設けたものである。生餌頭出し切り欠き部３は生餌４の頭を折り返し部２の端部２ａから突出させて釣り針を生餌４、例えば環形動物であるゴカイ、ミミズなどの頭に差し込みやすいように指で載置する目安としても役立つ。【０００８】      生餌押さえシート５は、薄板１の内面１ａにその一端を固定し、他端を生餌４の取り付け時に簡単に開閉できるようにフリー端にしたもので、生餌４の滑りを止める摩擦抵抗がある接触面５ａに形成し、生餌４の動きを確実に止め押さえ込むものである。
また、薄板１が生餌４を挟持し折り返した際に、その折り返しに対応、所謂追従できる柔軟性を有する材質である。例えば、網目状のシート、シート表面を粗面にするが生餌４損傷を与えない凹凸を形成したシート材等である。さらに、その大きさは、折り返し部２に載置した生餌４を少なくとも覆うものである。【０００９】      生餌押さえシートストッパー６は、図１に示すように薄板１の折り返された内面１ｂで、かつ図２に示すように生餌押さえシート５のフリー端５ｂが到達する位置に固定したものであり、フリー端５ｂがこれより先への移動するのをストップし、薄板１の折り返し部２に生餌４を載置した際、載置された生餌４の動きを薄板１の弾性と上記ストッパー６の押さえ込み等して抑制し所定の位置で生餌４を保持する。換言すると、薄板１を折り返した際には、生餌４を上から副次的に押さえ込むのに役立つ。【００１０】      次ぎに、本考案に係る生餌フォルダーの使用法を簡単に説明すると、図１に示すように薄板１を平板状に広げる。なお、その際、薄板１の中央部に二つ折り用の折り返し部２、生餌押さえシート５，生餌押さえシートストッパー６が固定されている。そこで、折り返し部２上に生餌４を指で掴み載置し、その上に生餌押さえ込みシート５を図２に示すように載置する。【００１１】      次ぎに、薄板１の左右の平面板１ａ，１ｂを内側に折り返して図３のように生餌４を挟持する。図４は図３のＡ−Ａ線による拡大端面図である。図４からも明らかなように生餌４は確実に生餌押さえシート５と薄板１の弾力性で押さえ込まれており、釣り針が生餌４に差し込み易い状態で挟持されている。そのため、生餌４を暴れさせずに、かつ指を汚さずに簡単に、しかも確実に短時間で釣り針に生餌４を取り付けられる【００１２】      以上説明したのは、本考案に係る生餌フォルダーの最良の形態であり、その他の実施例としては、図示しないが薄板１として２枚の平面板を丁番機能のシート部材で一体化して折り返し部を構成した薄板の使用、または生餌押さえシートストッパーを装着しない生餌フォルダーとすることもできる。また、薄板１は紙、樹脂フィルム、金属箔等の組み合わせから構成することもできる。
【図面の簡単な説明】
【００１３】
【図１】本考案に係る生餌フォルダーの実施例を示す正面図である。
【図２】本考案に係る生餌フォルダーの要部である生餌押さえシートを使用した際の正面図である。
【図３】本考案に係る生餌フォルダーで生餌を挟持した状態を示す説明図である。
【図４】図３のＡ−Ａ線による断面を示す拡大端面図である。
【符号の説明】
【００１４】      １  薄板
２  折り返し部
３  生餌頭出し切り欠き部
４  生餌
５  生餌押さえシート
６  生餌押さえシートストッパー
【図１】
0003136048.tif 000003
【図２】
0003136048.tif 000004
【図３】
0003136048.tif 000005
【図４】
0003136048.tif 000006